(57)【要約】【課題】  高アイソレーション化が可能であり、かつ小型化および低コスト化が可能であり、しかも損失増加を防ぐことができる光合分波器を提供する。【解決手段】  誘電体多層膜フィルタ２と、コリメートレンズ３、４と、コリメートレンズ３に接続された第１および第２のポート用光ファイバ５、６と、コリメートレンズ４に接続された第３のポート用光ファイバ７とを備えた光合分波器１。光ファイバ５、６、７は、光ファイバ５からフィルタ２で反射して光ファイバ６に至る第１の光路と、光ファイバ５からフィルタ２を通過して光ファイバ７に至る第２の光路とが形成される。光ファイバ６には、特定波長帯の光を反射するグレーティング部９が形成されている。このため、光ファイバ７に向かうべき特定波長帯の光のうち、フィルタ２で反射して光ファイバ６に向かった光を遮断することができる。従って、高アイソレーション化が可能である。【選択図】  図１
2005242142.tif 000002
【特許請求の範囲】
【請求項１】
誘電体多層膜フィルタと、
該誘電体多層膜フィルタの両面に各々接続された第１および第２コリメートレンズと、
前記第１コリメートレンズに接続された第１および第２のポート用光ファイバと、
前記第２コリメートレンズに接続された第３のポート用光ファイバとを備え、
前記第１ないし第３ポート用光ファイバが、第１ポート用光ファイバから誘電体多層膜フィルタで反射して第２ポート用光ファイバに至る第１の光路と、第１ポート用光ファイバから誘電体多層膜フィルタを通過して第３ポート用光ファイバに至る第２の光路とを形成する光合分波器であって、
前記第２ポート用光ファイバに、特定波長帯の光を反射するグレーティング部が形成されていることを特徴とする光合分波器。
【請求項２】
前記誘電体多層膜フィルタは、ＬＷＰＦであることを特徴とする請求項１に記載の光合分波器。
【請求項３】
前記誘電体多層膜フィルタは、ＳＷＰＦであることを特徴とする請求項１に記載の光合分波器。
【請求項４】
前記グレーティング部は、第２ポート用光ファイバの先端からの距離が３ｃｍ以下となる位置に形成されていることを特徴とする請求項１〜３のうちいずれか１項に記載の光合分波器。
【請求項５】
第２ポート用光ファイバは、第１コリメートレンズに融着接続されていることを特徴とする請求項１〜４のうちいずれか１項に記載の光合分波器。
【請求項６】
前記第１および第２ポート用光ファイバの先端部と、第３ポート用光ファイバの先端部にそれぞれ光ファイバ固定部材が設けられ、これら光ファイバ固定部材がそれぞれ第１および第２コリメートレンズに接続されていることを特徴とする請求項１〜５のうちいずれか１項に記載の光合分波器。
【請求項７】
誘電体多層膜フィルタと、
該誘電体多層膜フィルタの両面に各々接続された第１および第２コリメートレンズと、
前記第１コリメートレンズに接続された第１および第２のポート用光ファイバと、
前記第２コリメートレンズに接続された第３のポート用光ファイバとを備え、
前記第１ないし第３ポート用光ファイバが、第１ポート用光ファイバから誘電体多層膜フィルタで反射して第２ポート用光ファイバに至る第１の光路と、第１ポート用光ファイバから誘電体多層膜フィルタを通過して第３ポート用光ファイバに至る第２の光路とを形成する光合分波器であって、
前記第２ポート用光ファイバに、特定波長帯の光を反射するグレーティング部が形成された光ファイバを備えた光コネクタが接続されていることを特徴とする光合分波器。
【発明の詳細な説明】
【技術分野】
【０００１】
本発明は、放送通信融合１芯３波多重ＦＴＴＨソリューションなどに用いられる光合分波器に関する。
【背景技術】
【０００２】
近年、ＦＴＴＨ（Ｆｉｂｅｒ  Ｔｏ  Ｔｈｅ  Ｈｏｍｅ）や、ＣＡＴＶ（Ｃｏｍｍｕｎｉｔｙ  Ａｎｔｅｎｎａ  ＴｅｌｅＶｉｓｉｏｎ）の光ファイバ化などにより、アクセスネットワークにおける光通信システムの需要が増加している。
これらのシステムでは、放送と通信の融合が検討されており、１芯３波多重ＦＴＴＨソリューションは有望な技術のひとつである。
放送通信融合１芯３波多重ＦＴＴＨソリューションは、ＩＴＵ−Ｕ  Ｇ９８３．３に規定されているように、３つの波長帯（１．３１μｍ帯、１．４９μｍ帯、１．５５μｍ帯）を用いて１本の光ファイバで映像と通信の情報をやりとりする技術である。
【０００３】
図７に示すように、１芯３波多重ＦＴＴＨソリューションでは、３つの波長帯が用いられ、これらのうち１．３１μｍ帯を上り通信用（Ｕｐｓｔｒｅａｍ）とし、１．４９μｍ帯を下り通信用（Ｄｏｗｎｓｔｒｅａｍ）とし、１．５５μｍ帯を映像用（Ｖｉｄｅｏｓｔｒｅａｍ）として使用する。
そのため、１．３１および１．４９μｍ帯と、１．５５μｍ帯とを分ける光合分波器が必要となる。
【０００４】
光合分波器としては、ファイバ型カプラや、誘電体多層膜とコリメータを用いたマイクロオプティクス型光部品があるが、ファイバ型カプラでは、十分なアイソレーション（遮断率）が得られないため、マイクロオプティクス型光部品が用いられることが多い。
光合分波器としては、２つのコリメートレンズ間に誘電体多層膜フィルタが挟み込まれ、コリメートレンズに１芯または２芯の光ファイバが接続され、光ファイバの先端部にキャピラリが設けられ、これら構成部材がエポキシ系やアクリル系の接着剤により互いに接合されたものがある（特許文献１を参照）。
【特許文献１】特開２００２−１８２０６０号公報
【０００５】
図８は、３波光合分波器の一例を示すものである。
この光合分波器４１は、誘電体多層膜フィルタ２と、フィルタ２に接続された第１および第２コリメートレンズ２３、２４と、第１コリメートレンズ２３に接続された入射および反射ポート用光ファイバ２７、２８と、第２コリメートレンズ２４に接続された透過ポート用光ファイバ２９と、光ファイバ２７、２８、２９の先端部に設けられた第１および第２キャピラリ２５、２６とを備えている。
コリメートレンズ２３、２４の先端面２３ａ、２４ａは、それぞれ接着部３１、３２を介してフィルタ２に接合されている。
キャピラリ２５、２６は、それぞれ接着部３３、３４を介してコリメートレンズ２３、２４の基端面２３ｂ、２４ｂに接合されている。
【０００６】
フィルタ２としては、１．３１および１．４９μｍ帯の光を透過し、かつ１．５５μｍ帯の光を反射する特性をもつものを用いることができる。
この場合には、入射ポート用光ファイバ２７に入射した１．５５μｍ帯の光は、フィルタ２で反射し、反射ポート用光ファイバ２８に入射する。
入射ポート用光ファイバ２７に入射した１．４９μｍ帯の光は、フィルタ２を透過し、透過ポート用光ファイバ２９に入射する。
透過ポート用光ファイバ２９に入射した１．３１μｍ帯の光は、フィルタ２を透過し、入射ポート用光ファイバ２７に入射する。
【０００７】
１芯３波多重ＦＴＴＨソリューションでは、通信と映像の情報を１つの光ファイバで伝送するため、高いアイソレーションが要求される。
図９に示す例では、反射帯域のアイソレーションは比較的高いが、透過帯域のアイソレーションは十分ではない。
フィルタ２として一般的なものを用いた場合には、反射帯域のアイソレーションは３２ｄＢ程度であり、透過帯域のアイソレーションは１６ｄＢ程度である。
アイソレーションは、フィルタの蒸着方法を最適化し透過損失を改善することによって高めることが可能であるが、この方策をとった場合でも、透過帯域のアイソレーションは２０ｄＢ程度にまで高めるのが限界である。例えばフィルタの透過損失を０．０５ｄＢとした場合にはアイソレーションは約１９．４ｄＢとなり、透過損失を０．０４ｄＢとした場合でもアイソレーションは約２０．３ｄＢとなる。
【０００８】
反射ポート側のアイソレーションを高くすることができる構成を図１０〜図１２に例示する。
（１）図１０に示すように、カットフィルタ４２を有する光コネクタ４３を反射ポート用光ファイバ２８に接続する。
（２）図１１に示すように、反射ポート用光ファイバ２８の先端部（一端部）にカットフィルタ４４を設ける。
（３）図１２に示すように、反射ポート用光ファイバ２８の他端部を第２の光合分波器５１に接続する。第２光合分波器５１は、フィルタ２とコリメートレンズ５２とキャピラリ５３とを備え、キャピラリ５３には、反射ポート用光ファイバ２８の他端部と光ファイバ５４の先端部が固定されている。
【０００９】
図１０および図１１に示す構成によれば、カットフィルタ４２、４４によりアイソレーションを高めることができる。
図１２に示す構成によれば、光合分波器４１から光ファイバ２８を通して出射した所定波長の光は、第２光合分波器５１に入射しフィルタ２で反射して光ファイバ５４に入射する。この際、第２光合分波器５１のフィルタ２によりアイソレーションが高められる。
【発明の開示】
【発明が解決しようとする課題】
【００１０】
しかしながら、図１０〜図１２に示す構成には、それぞれ次に示す欠点がある。
（１）図１０に示す構成では、光コネクタ４３が用いられているため、他の光ファイバを反射ポート用光ファイバ２８に接続するには光コネクタ４３を使用せざるを得ない。このため、融着接続などによる接続ができず、装置構成が複雑になる。また、光の電力強度が大きい場合に（例えばＭＦＤ：約１０μｍ）、例えばコリメートレンズと光ファイバとの間の接着部が劣化し損失が増大することがある。
（２）図１１に示す構成では、構成部材の点数が多いため、製造コストがかさむ問題がある。また、光の電力強度が大きい場合に（例えばＭＦＤ：約１０μｍ）、例えばコリメートレンズと光ファイバとの間の接着部が劣化し損失が増大することがある。
（３）図１２に示す構成では、構成部材の点数が多いため、小型化が難しい。また、キャピラリを使用せず、光ファイバを直接コリメートレンズに融着接続する構成をとる場合には製造が難しくなりコスト面で不利になる。
本発明は前記事情に鑑みてなされたもので、高アイソレーション化が可能であり、かつ小型化および低コスト化が可能であり、しかも損失増加を防ぐことができる光合分波器を提供することを目的とする。
【課題を解決するための手段】
【００１１】
本発明は、誘電体多層膜フィルタと、該誘電体多層膜フィルタの両面に各々接続された第１および第２コリメートレンズと、前記第１コリメートレンズに接続された第１および第２のポート用光ファイバと、前記第２コリメートレンズに接続された第３のポート用光ファイバとを備え、前記第１ないし第３ポート用光ファイバが、第１ポート用光ファイバから誘電体多層膜フィルタで反射して第２ポート用光ファイバに至る第１の光路と、第１ポート用光ファイバから誘電体多層膜フィルタを通過して第３ポート用光ファイバに至る第２の光路とを形成する光合分波器であって、前記第２ポート用光ファイバに、特定波長帯の光を反射するグレーティング部が形成されている光合分波器を提供する。
本発明の光合分波器では、前記誘電体多層膜フィルタがＬＷＰＦであってもよいし、ＳＷＰＦであってもよい。
前記グレーティング部は、第２ポート用光ファイバの先端からの距離が３ｃｍ以下となる位置に形成されていることが好ましい。
本発明の光合分波器は、第２ポート用光ファイバが、第１コリメートレンズに融着接続された構成とすることができる。
本発明の光合分波器は、前記第１および第２ポート用光ファイバの先端部と、第３ポート用光ファイバの先端部にそれぞれ光ファイバ固定部材が設けられ、これら光ファイバ固定部材がそれぞれ第１および第２コリメートレンズに接続された構成とすることができる。
【００１２】
本発明の光合分波器は、誘電体多層膜フィルタと、該誘電体多層膜フィルタの両面に各々接続された第１および第２コリメートレンズと、前記第１コリメートレンズに接続された第１および第２のポート用光ファイバと、前記第２コリメートレンズに接続された第３のポート用光ファイバとを備え、前記第１ないし第３ポート用光ファイバが、第１ポート用光ファイバから誘電体多層膜フィルタで反射して第２ポート用光ファイバに至る第１の光路と、第１ポート用光ファイバから誘電体多層膜フィルタを通過して第３ポート用光ファイバに至る第２の光路とを形成する光合分波器であって、前記第２ポート用光ファイバに、特定波長帯の光を反射するグレーティング部が形成された光ファイバを備えた光コネクタが接続されていることを特徴とする。
【発明の効果】
【００１３】
本発明の光合分波器は、次に示す効果を奏する。
（１）第２ポート用光ファイバにグレーティング部が形成されているので、第３ポート側（透過ポート側）に向かうべき特定波長帯の光のうち、誘電体多層膜フィルタで反射して第２ポート側（反射ポート側）に向かった光を遮断することができる。
また、誘電体多層膜フィルタを用いるので、前記特定波長帯の光を選択的に第３ポート側に通すことができる。
従って、第２ポート側と第３ポート側の双方においてアイソレーションが高められる。
（２）第２ポート用光ファイバにグレーティング部が形成されているので、カットフィルタを備えた光コネクタなどの光部品を用いる場合に比べ、挿入損失増大などの問題が生じにくい。
（３）グレーティング部が第２ポート用光ファイバに形成されているので、カットフィルタを備えた光コネクタなどの光部品を用いる場合に比べ、装置構成を簡略化できる。従って、小型化および低コスト化が可能である。
（４）誘電体多層膜フィルタとしてＬＷＰＦを用いることによって、第３ポート側に向かうべき特定波長帯の光のうち、誘電体多層膜フィルタで反射して第２ポート側に向かった光を遮断することができる。
従って、第２ポート側と第３ポート側の双方においてアイソレーションを高めることができる。
（５）誘電体多層膜フィルタとしてＬＷＰＦまたはＳＷＰＦを用いることによって、第２ポート側において、特定の波長帯を含まない光を得ることができる。
例えば、１．３１μｍ帯の光と１．５５μｍ帯の光とを合分波する光合分波器において、１．６５μｍ帯の光を遮断することができる。
（６）第２ポート用光ファイバが第１コリメートレンズに融着接続されている構成によれば、前記光ファイバをコリメートレンズに固定するための機構が不要となるため、装置構成を簡略化し、低コスト化を図ることができる。
【発明を実施するための最良の形態】
【００１４】
以下、本発明の光合分波器の第１の例を説明する。
図１は、本発明にかかる光合分波器１の概略構成図である。
光合分波器１は、誘電体多層膜フィルタ２（以下、単にフィルタ２ということがある）と、フィルタ２に接続された第１および第２コリメートレンズ３、４と、第１コリメートレンズ３に接続された入射および反射ポート用光ファイバ５、６（第１および第２ポート用光ファイバ）と、第２コリメートレンズ４に接続された透過ポート用光ファイバ７（第３ポート用光ファイバ）とを備えている。
【００１５】
フィルタ２は、屈折率の異なる複数（数層〜数１００層）の層が積み重なって構成されている。これらの層は、ＳｉＯ２、Ｔａ２Ｏ５などからなり、厚さはそれぞれ数μｍ〜数１０μｍとすることができる。
フィルタ２としては、ＬＷＰＦ（Ｌｏｎｇ  Ｗａｖｅｌｅｎｇｔｈ  Ｐａｓｓ  Ｆｉｌｔｅｒ）を用いてもよいし、ＳＷＰＦ（Ｓｈｏｒｔ  Ｗａｖｅｌｅｎｇｔｈ  Ｐａｓｓ  Ｆｉｌｔｅｒ）を用いてもよい。また、バンドパスフィルタをフィルタ２として用いてもよい。
ＬＷＰＦは、所定の波長より長波長側の光を透過させ、短波長側の光を反射する特性をもつ。ＳＷＰＦは、所定の波長より短波長側の光を透過させ、長波長側の光を反射する特性をもつ。
【００１６】
コリメートレンズ３、４としては、例えば、グレーテッドインデックス型屈折率分布を有するファイバ型レンズなどからなる円柱状のレンズが挙げられる。
第１コリメートレンズ３の先端面３ａは、接着部１１を介してフィルタ２の一方の面に接合され、第２コリメートレンズ４の先端面４ａは、接着部１２を介してフィルタ２の他方の面に接合されている。
接着部１１、１２は、エポキシ系接着剤、アクリル系接着剤などの接着剤からなる。接着剤には、紫外線硬化型と熱硬化型がある。
入射および反射ポート用光ファイバ５、６は、第１コリメートレンズ３の基端面３ｂに融着接続されている。透過ポート用光ファイバ７は、第２コリメートレンズ４の基端面４ｂに融着接続されている。
【００１７】
反射ポート用光ファイバ６には、グレーティング部９が形成されている。グレーティング部９には、所定周期で屈折率変化が与えられている。
例えば、外径０．４ｍｍ、長さ１．７ｍｍのコリメートレンズ３、４と、厚さ１ｍｍのフィルタ２と、長さ３５ｍｍの保護管８とを用いる場合には、グレーティング部９の長さは１０ｍｍ前後とすることができる。
グレーティング部９はできるだけコリメートレンズ３に近い位置に形成するのが好ましい。例えば光ファイバ６の先端６ａからの距離が３ｃｍ以下（好ましくは１ｃｍ以下）となる位置に形成するのが好ましい。
グレーティング部９を先端６ａからの距離が３ｃｍ以下となる位置に形成することによって、光合分波器１を小型化できる。また既存の保護管８（例えば長さが６０ｍｍ以下のもの）を用いることができるため、低コスト化を図ることができる。
フィルタ２、コリメートレンズ３、４、グレーティング部９は、保護管８内に収容されている。
【００１８】
フィルタ２としてＬＷＰＦを用いる場合には、１．５５μｍ帯の光を透過させ、かつ１．３１および１．４９μｍ帯の光を反射する特性をもつものを用いることができる。
この場合、光ファイバ５，６、７は、次に示す光路を形成する。
入射ポート用光ファイバ５（第１ポート用光ファイバ）に入射した１．４９μｍ帯の光は、フィルタ２で反射し、反射ポート用光ファイバ６（第２ポート用光ファイバ）に入射する（第１の光路）。
入射ポート用光ファイバ５に入射した１．５５μｍ帯の光は、フィルタ２を透過し、透過ポート用光ファイバ７（第３ポート用光ファイバ）に入射する（第２の光路）。
【００１９】
以下、この光合分波器１を用いることによって、反射ポートと透過ポートの双方のアイソレーションを高くできることを説明する。
１．３１および１．４９μｍ帯と、１．５５μｍ帯とを分ける場合には、フィルタ２としてＬＷＰＦを用い、かつグレーティング部９として１．５５μｍ帯の光を遮断するものを用いるのが好適である。
【００２０】
図２（ａ）は、フィルタ２における透過光および反射光の波長特性の一例である。
図示例では、フィルタ２がＬＷＰＦであるので、入射ポート用光ファイバ５から入射した１．５５μｍ帯以上の波長帯域の光は、フィルタ２を透過し透過ポート側に向かう。一方、１．５５μｍ帯を下回る波長帯域の光はフィルタ２で反射し、反射ポート側に向かう。このため、透過ポート側でのアイソレーションが高められる。
図２（ｂ）は、グレーティング部９で得られる波長特性の一例である。
図示例では、反射ポート用光ファイバ６に入射した光のうち１．５５μｍ帯の光がグレーティング部９で反射される。
図２（ｃ）は、光合分波器１で得られる透過光および反射光の波長特性を示すものである。光合分波器１にはフィルタ２とグレーティング部９が用いられているため、図２（ｃ）に示す波長特性は、図２（ａ）に示す波長特性と図２（ｂ）に示す波長特性を合わせたものに相当する。
これらの図より、フィルタ２で反射し反射ポート用光ファイバ６に入射した光のうち１．５５μｍ帯の光はグレーティング部９で反射するため、反射ポート側で得られる１．５５μｍ帯のアイソレーションが高くなることがわかる。
【００２１】
光合分波器１では次に示す効果が得られる。
（１）反射ポート用光ファイバ６にグレーティング部９が設けられているので、透過ポート側に向かうべき特定波長帯（１．５５μｍ帯）の光のうち、反射ポート側に向かった光を遮断することができる。
また、誘電体多層膜フィルタ２を用いるので、前記特定波長帯の光を選択的に透過ポート側に通すことができる。
従って、透過ポート側と反射ポート側の双方においてアイソレーションが高められる。
（２）グレーティング部９は光ファイバ６に形成されているので、カットフィルタを備えた光コネクタなどの光部品を用いる場合に比べ、挿入損失増大などの問題が生じにくい。
（３）光ファイバ５、６、７がコリメートレンズ３、４に融着接続されているので、光ファイバ５、６、７をコリメートレンズ３、４に固定するための機構が不要となる。
従って、装置構成を簡略化し、低コスト化を図ることができる。
【００２２】
フィルタ２としては、ＳＷＰＦを用いることもできる。その場合には、１．３１および１．４９μｍ帯の光を反射するグレーティング部９を用いることができる。
【００２３】
本発明では、フィルタ２としてＳＷＰＦを用い、グレーティング部９として１．６５μｍ帯の光を反射するものを使用することもできる。
図３（ａ）は、フィルタ２における透過光および反射光の波長特性の一例である。
図示例では、入射ポート用光ファイバ５に入射した光のうち１．５５μｍ帯を下回る波長帯域の光は、フィルタ２を透過し透過ポート側に向かう（第２の光路）。例えば、入射ポート用光ファイバ５に入射した１．３１μｍ帯の光は、透過ポート用光ファイバ７から出射する。
一方、１．５５μｍ帯以上の波長帯域の光はフィルタ２で反射され、反射ポート側に向かう（第１の光路）。
このため、透過ポート側でのアイソレーションが高められる。
図３（ｂ）は、グレーティング部９で得られる波長特性の一例である。
反射ポート用光ファイバ６に入射した光のうち１．６５μｍ帯の光は、グレーティング部９で遮断される。
図３（ｃ）は、図３（ａ）に示す波長特性と図３（ｂ）に示す波長特性を合わせたものである。
この図に示すように、フィルタ２で反射し反射ポート用光ファイバ６に入射した１．５５μｍ帯以上の光のうち１．６５μｍ帯の光はグレーティング部９で遮断される。
よって、特定の波長帯（１．６５μｍ帯）を含まない光が反射ポート側で得られ、反射ポート側でのアイソレーションが高められる。
この構成の光合分波器では、１．３１μｍ帯の光と１．５５μｍ帯の光とを合分波することができ、さらに１．６５μｍ帯の光を遮断することができる。
【００２４】
なお、この構成の光合分波器では、透過ポート用光ファイバ７に入射した１．３１μｍ帯の光は、フィルタ２を透過し、入射ポート用光ファイバ５から出射する（第３の光路）。
【００２５】
本発明では、フィルタ２としてＬＷＰＦを用い、グレーティング部９として１．５５μｍ帯を下回る特定の波長帯（１．３１μｍ帯）の光を反射するものを使用することもできる。
図４（ａ）に示すように、入射ポート側から入射した光のうち１．５５μｍ帯を上回る波長帯の光はフィルタ２を透過し透過ポート側に向かう。１．５５μｍ帯以下の波長帯の光はフィルタ２で反射し、反射ポート側に向かう。
図４（ｂ）に示すように、反射ポート側に向かった光のうち１．３１μｍ帯の光はグレーティング部９で反射される。
このため、図４（ｃ）に示すように、反射ポート側では、特定の波長帯（１．３１μｍ帯）の光を含まない光が得られる。
【００２６】
図５は、本発明の光合分波器の第２の例を示すものである。
ここに示す光合分波器２１は、フィルタ２と、フィルタ２に接続された第１および第２コリメートレンズ２３、２４と、コリメートレンズ２３、２４に接続された光ファイバ２７、２８、２９と、これら光ファイバ２７、２８、２９の先端部に設けられた第１および第２キャピラリ２５、２６（光ファイバ固定部材）とを備えている。
コリメートレンズ２３、２４は、上記コリメートレンズ３、４と同様の構成とすることができる。
コリメートレンズ２３、２４の先端面２３ａ、２４ａは、それぞれ接着部３１、３２を介してフィルタ２の一方および他方の面に接合されている。
【００２７】
キャピラリ２５、２６は、ガラスなどからなる円柱状の部材である。
第１キャピラリ２５には、長手方向に２つの貫通孔２５ａ、２５ｂが設けられ、これら貫通孔２５ａ、２５ｂには、入射および反射ポート用光ファイバ２７、２８の先端部である裸線部２７ａ、２８ａがそれぞれ挿通され、接着剤などでキャピラリ２５に固定されている。
第２キャピラリ２６には、長手方向に１つの貫通孔２６ａが設けられ、この貫通孔２６ａには、透過ポート用光ファイバ２９の先端部である裸線部２９ａが挿通され、接着剤などでキャピラリ２６に固定されている。
第１キャピラリ２５は接着部３３を介して第１コリメートレンズ２３の基端面２３ｂに接合され、第２キャピラリ２６は接着部３４を介して第２コリメートレンズ２４の基端面２４ｂに接合されている。
【００２８】
反射ポート用光ファイバ２８には、グレーティング部９が形成されている。グレーティング部９は、第１キャピラリ２５内に設けられている。
【００２９】
光合分波器２１では、図１に示す光合分波器１と同様に、反射ポート用光ファイバ２８にグレーティング部９が設けられているので、透過ポート側に向かうべき特定波長帯の光のうち反射側に向かった光を遮断することができる。
従って、透過ポート側と反射ポート側の双方においてアイソレーションが高められる。
【００３０】
図６は、本発明の光合分波器の第３の例を示すものである。
ここに示す光合分波器は、図１に示す構造の光合分波器１において、グレーティング部９を反射ポート用光ファイバ６に形成せず、これに代えて、光コネクタ３６を反射ポート用光ファイバ６に接続した構成である。光コネクタ３６は、グレーティング部９を形成した光ファイバ３５を内蔵している。
この構造の光合分波器では、カットフィルタを備えた光コネクタなどの光部品を用いる場合に比べ、挿入損失増大などの問題が生じない点で有利である。
【図面の簡単な説明】
【００３１】
【図１】本発明の光合分波器の第１の例を示す概略構成図である。
【図２】波長特性を示すグラフである。
【図３】波長特性を示すグラフである。
【図４】波長特性を示すグラフである。
【図５】本発明の光合分波器の第２の例を示す概略構成図である。
【図６】本発明の光合分波器の第３の例を示す概略構成図である。
【図７】放送通信融合１芯３波多重ＦＴＴＨソリューションに用いられる光の波長を示す図である。
【図８】従来の光合分波器の一例を示す概略構成図である。
【図９】波長特性を示すグラフであり、横軸は波長を示し、縦軸はアイソレーションを示す。
【図１０】従来の光合分波器の他の例を示す概略構成図である。
【図１１】従来の光合分波器の他の例を示す概略構成図である。
【図１２】従来の光合分波器の他の例を示す概略構成図である。
【符号の説明】
【００３２】
１、２１・・・光合分波器、２・・・誘電体多層膜フィルタ、３、４、２３、２４・・・コリメートレンズ、２５、２６・・・キャピラリ、５、２７・・・入射ポート用光ファイバ（第１ポート用光ファイバ）、６、２８・・・反射ポート用光ファイバ（第２ポート用光ファイバ）、７、２９・・・透過ポート用光ファイバ（第３ポート用光ファイバ）
【図１】
2005242142.tif 000003
【図２】
2005242142.tif 000004
【図３】
2005242142.tif 000005
【図４】
2005242142.tif 000006
【図５】
2005242142.tif 000007
【図６】
2005242142.tif 000008
【図７】
2005242142.tif 000009
【図８】
2005242142.tif 000010
【図９】
2005242142.tif 000011
【図１０】
2005242142.tif 000012
【図１１】
2005242142.tif 000013
【図１２】
2005242142.tif 000014